(57)【特許請求の範囲】
【請求項１】
家屋に侵入する不審者の画像を記録するセキュリティシステムであって、
画像を記録する一の画像記録装置と、
前記画像記録装置と接続され、当該画像記録装置に記録された画像を表示する記録画像表示装置と、
前記画像記録装置に接続され、前記家屋の外側或いは内側に少なくとも一つ設けられた前記不審者を検知する不審者検知手段と、
前記不審者検知手段による前記不審者の検知に基づいて、当該不審者を撮像する撮像装置と、を備え、
前記画像記録装置は、
前記撮像装置と接続され、当該撮像装置により撮像される不審者画像、或いは、テレビジョン放送信号に基づく通常画像を記録する画像記録手段と、
前記不審者検知手段により前記不審者が検知された場合に、前記画像記録手段により前記通常画像を記録中であるか否かを判定する判定手段と、
前記判定手段により前記通常画像を記録中であると判定された場合に、当該画像記録手段による前記通常画像の記録を停止させて前記不審者画像を記録させる画像記録制御手段と、
前記画像記録手段に記録される前記不審者画像を前記記録画像表示装置に出力する第１画像出力手段と、
前記不審者検知手段による前記不審者の検知に基づいて、予め保存されている所定の画像を前記記録画像表示装置に出力する第２画像出力手段と、
前記第１画像出力手段からの前記不審者画像の出力及び前記第２画像出力手段からの前記所定の画像の出力を制御する画像出力制御手段と、
前記不審者検知手段による前記不審者の検知に基づいて、当該不審者の検知時を計時する計時部と、を備え、
前記画像記録手段は、前記計時部により計時された前記不審者の検知時を前記不審者画像とともに記録し、
前記記録画像表示装置は、
前記画像出力制御手段の制御下にて、前記第１画像出力手段から出力され入力された前記不審者画像及び前記第２画像出力手段から出力され入力された前記所定の画像を表示することを特徴とするセキュリティシステム。
【請求項２】
家屋に侵入する不審者の画像を記録するセキュリティシステムであって、
画像を記録する一の画像記録装置と、
前記画像記録装置と接続され、当該画像記録装置に記録された画像を表示する記録画像表示装置と、
前記画像記録装置に接続され、前記家屋の外側或いは内側に少なくとも一つ設けられた前記不審者を検知する不審者検知手段と、
前記不審者検知手段による前記不審者の検知に基づいて、当該不審者を撮像する撮像装置と、を備え、
前記画像記録装置は、
前記撮像装置と接続され、当該撮像装置により撮像される不審者画像、或いは、テレビジョン放送信号に基づく通常画像を記録する画像記録手段と、
前記不審者検知手段により前記不審者が検知された場合に、前記画像記録手段により前記通常画像を記録中であるか否かを判定する判定手段と、
前記判定手段により前記通常画像を記録中であると判定された場合に、当該画像記録手段による前記通常画像の記録を停止させて前記不審者画像を記録させる画像記録制御手段と、
を備えることを特徴とするセキュリティシステム。
【請求項３】
前記画像記録装置は、
前記不審者検知手段による前記不審者の検知に基づいて、当該不審者の検知時を計時する計時部を備え、
前記画像記録手段は、前記計時部により計時された前記不審者の検知時を前記不審者画像とともに記録することを特徴とする請求項２に記載のセキュリティシステム。
【請求項４】
前記画像記録装置は、
前記画像記録手段に記録される前記不審者画像を前記記録画像表示装置に出力する第１画像出力手段を備え、
前記記録画像表示装置は、前記第１画像出力手段から出力され入力された前記不審者画像を表示することを特徴とする請求項２又は３に記載のセキュリティシステム。
【請求項５】
前記画像記録装置は、
前記不審者検知手段による前記不審者の検知に基づいて、予め保存されている所定の画像を前記記録画像表示装置に出力する第２画像出力手段と、
前記第１画像出力手段からの前記不審者画像の出力及び前記第２画像出力手段からの前記所定の画像の出力を制御する画像出力制御手段と、を備え、
前記記録画像表示装置は、
前記画像出力制御手段の制御下にて、前記第１画像出力手段から出力され入力された前記不審者画像及び前記第２画像出力手段から出力され入力された前記所定の画像を表示することを特徴とする請求項４に記載のセキュリティシステム。 
【発明の詳細な説明】
【技術分野】
【０００１】
本発明は、家屋に侵入する不審者の画像を記録するセキュリティシステムに関する。
【背景技術】
【０００２】
従来、家屋に侵入する不審者を監視したり、不審者を検知すると所定の威嚇を行って排除するためのセキュリティシステムが知られている。
セキュリティシステムとして、例えば、ビデオデッキなどの画像記録装置やテレビジョン装置を適用することにより低コストで導入することができる防犯監視用カメラシステムが開発されている（例えば、特許文献１参照。）。
また、センサにより不審者を検知した場合に、テレビジョン装置の電源を入れたり照明を点灯させたりエアーコンディショナーを作動させて住人が在宅しているように見せることで防犯効果を向上させるセキュリティシステムが開発されている（例えば、特許文献２及び特許文献３参照。）。
【０００３】
さらに、センサにより不審者を検知すると、テレビジョン装置の電源を入れたりビデオデッキの録画動作を開始させる防犯監視システムも開発されている（例えば、特許文献４及び特許文献５参照。）。
【特許文献１】特開２０００−２２４５７２号公報
【特許文献２】特開２００４−２９９９８号公報
【特許文献３】特開２００５−２５４３５号公報
【特許文献４】特開平７−３７１７４号公報
【特許文献５】特開平９−２２４２３８号公報
【発明の開示】
【発明が解決しようとする課題】
【０００４】
しかしながら、上記特許文献４、５等のようなシステムを適用して不審者の検知に基づいてビデオデッキの録画動作を開始させる構成であっても、家屋に一のビデオデッキしか設置されていない場合に、当該ビデオデッキがタイマー録画などにより録画動作中であると、不審者の画像の記録を行うことができないといった問題がある。
なお、特許文献１にあっては、侵入者を検知すると音や光などにより警報を発するようになっている。また、特許文献２や特許文献３等にあっては、家屋に不審者を侵入させないようにするためのものであり、さらに、特許文献４や特許文献５にあっては、不審者の監視を主目的とするものである。
【０００５】
そこで、本発明の課題は、一の画像記録装置を用いて、不審者の画像の記録を好適に行うことができるセキュリティシステムを提供することである。 
【課題を解決するための手段】
【０００６】
上記課題を解決するため、請求項１に記載の発明は、
家屋に侵入する不審者の画像を記録するセキュリティシステムであって、
画像を記録する一の画像記録装置と、
前記画像記録装置と接続され、当該画像記録装置に記録された画像を表示する記録画像表示装置と、
前記画像記録装置に接続され、前記家屋の外側或いは内側に少なくとも一つ設けられた前記不審者を検知する不審者検知手段と、
前記不審者検知手段による前記不審者の検知に基づいて、当該不審者を撮像する撮像装置と、を備え、
前記画像記録装置は、
前記撮像装置と接続され、当該撮像装置により撮像される不審者画像、或いはテレビジョン放送信号に基づく通常画像を記録する画像記録手段と、
前記不審者検知手段により前記不審者が検知された場合に、前記画像記録手段により前記通常画像を記録中であるか否かを判定する判定手段と、
前記判定手段により前記通常画像を記録中であると判定された場合に、当該画像記録手段による前記通常画像の記録を停止させて前記不審者画像を記録させる画像記録制御手段と、
前記画像記録手段に記録される前記不審者画像を前記記録画像表示装置に出力する第１画像出力手段と、
前記不審者検知手段による前記不審者の検知に基づいて、予め保存されている所定の画像を前記記録画像表示装置に出力する第２画像出力手段と、
前記第１画像出力手段からの前記不審者画像の出力及び前記第２画像出力手段からの前記所定の画像の出力を制御する画像出力制御手段と、
前記不審者検知手段による前記不審者の検知に基づいて、当該不審者の検知時を計時する計時部と、を備え、
前記画像記録手段は、前記計時部により計時された前記不審者の検知時を前記不審者画像とともに記録し、
前記記録画像表示装置は、
前記画像出力制御手段の制御下にて、前記第１画像出力手段から出力され入力された前記不審者画像及び前記第２画像出力手段から出力され入力された前記所定の画像を表示することを特徴としている。
【０００７】
請求項２に記載の発明は、
家屋に侵入する不審者の画像を記録するセキュリティシステムであって、
画像を記録する一の画像記録装置と、
前記画像記録装置と接続され、当該画像記録装置に記録された画像を表示する記録画像表示装置と、
前記画像記録装置に接続され、前記家屋の外側或いは内側に少なくとも一つ設けられた前記不審者を検知する不審者検知手段と、
前記不審者検知手段による前記不審者の検知に基づいて、当該不審者を撮像する撮像装置と、を備え、
前記画像記録装置は、
前記撮像装置と接続され、当該撮像装置により撮像される不審者画像、或いは、テレビジョン放送信号に基づく通常画像を記録する画像記録手段と、
前記不審者検知手段により前記不審者が検知された場合に、前記画像記録手段により前記通常画像を記録中であるか否かを判定する判定手段と、
前記判定手段により前記通常画像を記録中であると判定された場合に、当該画像記録手段による前記通常画像の記録を停止させて前記不審者画像を記録させる画像記録制御手段と、
を備えることを特徴としている。
【０００８】
請求項３に記載の発明は、請求項２に記載のセキュリティシステムにおいて、
前記画像記録装置は、
前記不審者検知手段による前記不審者の検知に基づいて、当該不審者の検知時を計時する計時部を備え、
前記画像記録手段は、前記計時部により計時された前記不審者の検知時を前記不審者画像とともに記録することを特徴としている。
【０００９】
請求項４に記載の発明は、請求項２又は３に記載のセキュリティシステムにおいて、
前記画像記録装置は、
前記画像記録手段に記録される前記不審者画像を前記記録画像表示装置に出力する第１画像出力手段を備え、
前記記録画像表示装置は、前記第１画像出力手段から出力され入力された前記不審者画像を表示することを特徴としている。
【００１０】
請求項５に記載の発明は、請求項４に記載のセキュリティシステムにおいて、
前記画像記録装置は、
前記不審者検知手段による前記不審者の検知に基づいて、予め保存されている所定の画像を前記記録画像表示装置に出力する第２画像出力手段と、
前記第１画像出力手段からの前記不審者画像の出力及び前記第２画像出力手段からの前記所定の画像の出力を制御する画像出力制御手段と、を備え、
前記記録画像表示装置は、
前記画像出力制御手段の制御下にて、前記第１画像出力手段から出力され入力された前記不審者画像及び前記第２画像出力手段から出力され入力された前記所定の画像を表示することを特徴としている。
【発明の効果】
【００１２】
請求項１に記載の発明によれば、画像記録装置は、撮像装置により撮像される不審者画像、或いは、テレビジョン放送信号に基づく通常画像を記録する画像記録手段と、不審者検知手段により不審者が検知された場合に、画像記録手段により通常画像を記録中であるか否かを判定する判定手段と、通常画像を記録中であると判定された場合に、当該画像記録手段による通常画像の記録を停止させて不審者画像を記録させる画像記録制御手段と、を備えているので、通常画像を記録中であっても、不審者の検知に基づいて当該通常画像の記録を停止させることができることとなって、不審者画像の記録を確実に行うことができる。即ち、通常画像を記録することができるような一般的な一の画像記録装置を用いても、画像の記録制御を適正に行うことにより、不審者画像の記録を好適に行うことができることとなる。
また、画像記録手段は、不審者検知手段による不審者の検知に基づいて計時部により計時された不審者の検知時を不審者画像とともに記録するので、不審者の記録だけでなく、当該不審者の検知時の記録を適正に行うことができる。
さらに、画像記録装置は、不審者検知手段による不審者の検知に基づいて、予め保存されている所定の画像を記録画像表示装置に出力する第２画像出力手段と、第１画像出力手段からの不審者画像の出力及び第２画像出力手段からの所定の画像の出力を制御する画像出力制御手段と、を備え、記録画像表示装置は、画像出力制御手段の制御下にて、第１画像出力手段から出力され入力された不審者画像及び第２画像出力手段から出力され入力された所定の画像を表示するので、記録画像表示装置に対する画像出力の制御を適正に行うことができることとなって、記録画像表示装置における不審者画像及び所定の画像の表示をより適正に行うことができる。
このように、一般的な画像記録装置を用いてより魅力的なセキュリティシステムを提供することができる。
【００１３】
請求項２に記載の発明によれば、画像記録装置は、撮像装置により撮像される不審者画像、或いは、テレビジョン放送信号に基づく通常画像を記録する画像記録手段と、不審者検知手段により不審者が検知された場合に、画像記録手段により通常画像を記録中であるか否かを判定する判定手段と、通常画像を記録中であると判定された場合に、画像記録手段による通常画像の記録を停止させて不審者画像を記録させる画像記録制御手段と、を備えているので、通常画像を記録中であっても、不審者の検知に基づいて当該通常画像の記録を停止させることができることとなって、不審者画像の記録を確実に行うことができる。即ち、通常画像を記録することができるような一般的な一の画像記録装置を用いても、画像の記録制御を適正に行うことにより、不審者画像の記録を好適に行うことができることとなる。このように、一般的な画像記録装置を用いてより魅力的なセキュリティシステムを提供することができる。
【００１４】
請求項３に記載の発明によれば、請求項２に記載の発明と同様の効果が得られるのは無論のこと、特に、画像記録手段は、不審者検知手段による不審者の検知に基づいて計時部により計時された不審者の検知時を不審者画像とともに記録するので、不審者の記録だけでなく、当該不審者の検知時の記録を適正に行うことができることとなって、ユーザに対してより魅力的なセキュリティシステムを提供することができる。
【００１５】
請求項４に記載の発明によれば、請求項２又は３に記載の発明と同様の効果が得られるのは無論のこと、特に、画像記録装置は、画像記録手段に記録される不審者画像を記録画像表示装置に出力する第１画像出力手段を備え、記録画像表示装置は、第１画像出力手段から出力され入力された不審者画像を表示するので、記録画像表示装置における不審者画像の表示をより適正に行うことができる。
【００１６】
請求項５に記載の発明によれば、請求項４に記載の発明と同様の効果が得られるのは無論のこと、特に、画像記録装置は、不審者検知手段による不審者の検知に基づいて、予め保存されている所定の画像を記録画像表示装置に出力する第２画像出力手段と、第１画像出力手段からの不審者画像の出力及び第２画像出力手段からの所定の画像の出力を制御する画像出力制御手段と、を備え、記録画像表示装置は、画像出力制御手段の制御下にて、第１画像出力手段から出力され入力された不審者画像及び第２画像出力手段から出力され入力された所定の画像を表示するので、記録画像表示装置に対する画像出力の制御を適正に行うことができることとなって、記録画像表示装置における不審者画像及び所定の画像の表示をより適正に行うことができる。
【発明を実施するための最良の形態】
【００１８】
以下に、本発明について、図面を用いて具体的な態様を説明する。ただし、発明の範囲は、図示例に限定されない。
【００１９】
［実施形態１］
図１は、本発明を適用した実施形態１のセキュリティシステム１００の全体構成を模式的に示した図である。
実施形態１のセキュリティシステム１００は、例えば、家屋に侵入する不審者を排除するためのシステムであり、具体的には、図１に示すように、画像を記録する画像記録装置１と、この画像記録装置１と接続され、当該画像記録装置１に記録された画像を表示するテレビジョン装置（記録画像表示装置）２と、家屋の外側或いは内側に設けられ、不審者を撮像する撮像装置３とを備えて構成されている。
【００２０】
以下に、画像記録装置１について図２を参照して説明する。ここで、図２は、画像記録装置１の要部構成を示すブロック図である。
画像記録装置１は、例えば、居間などに配設されるＨＤＤ（Hard Disk Drive）を搭載したＰＶＲ（Personal Video Recorder）等が適用され、具体的には、所定の画像情報及び音情報などを記録する情報記録部１１と、情報記録部１１に記録された情報をテレビジョン装置２に出力する出力部１２と、テレビジョン装置２を操作するための赤外光を発するＩＲ送信部１３と、撮像装置３から出力された各種情報が入力される入力部１４と、情報記録部１１に記録される各種情報を符号化するエンコーダ１５と、出力部１２から出力される各種情報を復号化するデコーダ１６と、計時部１７と、ＣＰＵ１８と、ＲＡＭ１９と、ＲＯＭ１０等を備えている。
【００２１】
情報記録部１１は、例えば、図示しないチューナ等により受信したテレビジョン放送信号に基づいて所定の画像情報や音情報を記録・書き換え可能なＤＶＤ（Digital Versatile Disk）などの記録媒体やＨＤＤ等が適用される。
【００２２】
また、情報記録部１１は、撃退用画像記録手段として、家屋に侵入する不審者を撃退するための撃退用画像を記録するようになっている。ここで、撃退用画像は、予め所定のビデオカメラなどを用いて撮像されてデコーダ１６により復号化されたものであり、具体的には、住居の主人や家人を表す画像等が適用される。なお、情報記録部１１には、撃退用画像とともに所定の音からなる不審者の撃退用の音が記録されていても良い。これにより、不審者を撃退する効果をより向上させることができる。
【００２３】
さらに、情報記録部１１は、不審者画像記録手段として、撮像装置３のカメラ３２により撮像される不審者画像を記録するようになっている。具体的には、情報記録部１１は、センサ３１による不審者の検知に基づいて当該センサ３１から出力された検知信号がＣＰＵ１８に入力されると、ＣＰＵ１８の制御下にて、カメラ３２により撮像されてエンコーダ１５により符号化された不審者画像やマイク３３により集音されてエンコーダ１５により符号化された不審者から発せられた声や音等を記録するようになっている。
【００２４】
また、情報記録部１１は、通常画像記録手段として、不審者画像以外の通常画像、即ち、テレビジョン放送信号に基づく画像などを記録するようになっている。
【００２５】
出力部１２は、例えば、テレビジョン装置２の入力端子（図示略）と接続される出力端子（図示略）を備え、デコーダ１６により複合化された画像情報や音情報などをテレビジョン装置２に対して出力するものである。
具体的には、出力部１２は、撃退用画像出力手段として、情報記録部１１に記録された撃退用画像をテレビジョン装置２に出力するようになっている。
また、出力部１２は、不審者画像出力手段として、情報記録部１１に記録される不審者画像をテレビジョン装置２に出力するようになっている。
【００２６】
ＩＲ送信部１３は、例えば、発光ダイオード（図示略）等を内蔵しており、ＣＰＵ１８から出力されて入力される送信データを赤外線信号に変換して、テレビジョン装置２のＩＲ受信部２５（後述）に向けて所定の波長の赤外光（操作信号）を送信するものである。
具体的には、ＩＲ送信部１３は、操作信号送信手段として、撮像装置３のセンサ３１（後述）による不審者の検知に基づいて、情報記録部１１に記録され出力部１２から出力される撃退用画像を表示部２３（後述）に表示するようにテレビジョン装置２の動作状態を設定する操作信号（赤外線信号）を当該記録画像表示装置に送信するようになっている。
ここで、操作信号としては、例えば、テレビジョン装置２の電源のＯＮ信号、画像記録装置１が接続された入力端子を介して入力される撃退用画像を表示可能な入力画面を選択する信号（具体的には、ビデオ入力に切り替えるための信号など）、撃退用の音が入力される場合には大音量で発音することができるようにボリュームを調節する信号等が挙げられる。
【００２７】
入力部１４は、例えば、撮像装置３の出力部３４の出力端子（図示略）と接続される入力端子（図示略）を備え、出力部３４から出力される画像情報や音情報並びに検知信号などが入力されるようになっている。
【００２８】
エンコーダ１５は、例えば、撮像装置３から入力部１４を介して入力される画像情報や音情報などの各種情報を所定のファイル形式（ＪＰＥＧ（Joint Photographic Experts Group）形式やＭＰＥＧ−２（Moving Picture Experts Group phase 2）形式）の情報に符号化するものである。
そして、エンコーダ１５により符号化された各種情報は、情報記録部１１に送信されて記録されるようになっている。
【００２９】
デコーダ１６は、例えば、エンコーダ１５により符号化され情報記録部１１に記録された各種情報に対して当該情報のファイル形式に応じた処理を施し、符号化された情報から所定の情報に復号化するものである。
【００３０】
計時部１７は、例えば、所定の計時回路を有するものであり、具体的には、撮像装置３のセンサ３１による不審者の検知時を計時するものである。即ち、計時部１７は、センサ３１による不審者の検知に基づいて作動する撮像装置３から出力され入力部１４を介して不審者画像が入力されるタイミングを当該不審者の検知時として計時するようになっている。
そして、計時部１７は、計時された不審者の検知時に係る信号をＣＰＵ１８に対して出力するようになっている。なお、当該不審者の検知時は、ＣＰＵ１８の制御下にて、不審者画像とともに情報記録部１１に記録されるようになっている。
【００３１】
ＣＰＵ（Central Processing Unit）１８は、画像記録装置１の各部を統括的に制御するものであり、ＲＯＭ１０に記憶されている各種プログラムを読み出してＲＡＭ１９の作業領域に展開し、当該プログラムに従って各種処理を実行するようになっている。
【００３２】
ＲＡＭ（Random Access Memory）１９は、例えば、書き換え可能なメモリであり、ＣＰＵ１８の制御下にてＲＯＭ１０から読み出されたプログラムや各種データ等の格納領域や作業領域等を構成している。
【００３３】
ＲＯＭ（Read Only Memory）１０は、例えば、データの読み出し専用のメモリであり、ＣＰＵ１８の制御下にて実行される各種プログラム、各プログラムの処理に係るデータ等を記憶している。具体的には、ＲＯＭ１０には、判定プログラム１０ａ、画像記録制御プログラム１０ｂ、画像出力制御プログラム１０ｃ等が記憶されている。
【００３４】
判定プログラム１０ａは、ＣＰＵ１８に、判定手段として、撮像装置３のセンサ３１により不審者が検知された場合に、情報記録部１１により通常画像を記録中であるか否かを判定する判定処理に係る機能を実現させるためのプログラムである。
【００３５】
画像記録制御プログラム１０ｂは、ＣＰＵ１８に、画像記録制御手段として、判定処理により通常画像を記録中であると判定された場合に、情報記録部１１による通常画像の記録を停止させて不審者画像を記録させる制御に係る機能を実現させるためのプログラムである。
【００３６】
画像出力制御プログラム１０ｃは、ＣＰＵ１８に、画像出力制御手段として、情報記録部１１に記録された不審者画像及び撃退用画像の出力部１２を介したテレビジョン装置２に対する出力を制御する処理に係る機能を実現させるためのプログラムである。
即ち、ＣＰＵ１８による画像出力制御プログラム１０ｃの実行に基づいて、テレビジョン装置２に対して撃退用画像及び不審者画像の何れを出力させるかを制御するようになっており、具体的には、例えば、撃退用画像及び不審者画像が所定間隔を空けて交互に切り替えて表示されるように出力させたり、撃退用画像が大きな主画面として表示され不審者画像が主画面に重ねられる小さなサブ画面として表示されるように出力させるようになっている。また、例えば、撃退用画像及び不審者画像が撃退用の音にあわせて表示されるように出力されても良い。
【００３７】
次に、撮像装置３について図３を参照して説明する。ここで、図３は、撮像装置３の要部構成を示すブロック図である。
撮像装置３は、例えば、動画像を撮像するためのものであり、具体的には、図３に示すように、不審者を検知するセンサ３１と、不審者を撮像するカメラ３２と、不審者の発する声や音や不審者の周囲の音などを集音するマイク３３と、各種情報を画像記録装置１に出力する出力部３４等を備えている。
【００３８】
センサ３１は、例えば、赤外線センサやモーションセンサなどが適用され、不審者検知手段として、不審者を検知するものである。また、センサ３１は、不審者を検知すると検知信号を出力部３４に対して出力するようになっている。
なお、センサ３１は、例えば、カメラ３２やマイク３３などと分離して撮像装置本体部とは異なる場所に配設されても良い。
【００３９】
カメラ３２は、例えば、レンズやＣＣＤ（撮像素子）などの撮像手段を備え、レンズを透過した光の強弱に応じて撮像手段によりデジタルの画像情報を生成するようになっている。そして、カメラ３２により生成された画像情報は、出力部３４に対して出力される。
なお、カメラ３２は、例えば、カラー画像を撮像するものであっても良いし、白黒画像を撮像する構成のものであっても良い。
【００４０】
マイク３３は、例えば、集音した音をデジタルの音情報に変換するようになっている。そして、マイク３３により変換された音情報は、出力部３４に対して出力される。
なお、マイク３３は、例えば、モノラル方式のものであっても良いし。ステレオ方式のものであっても良い。
【００４１】
出力部３４は、例えば、画像記録装置１の入力端子（図示略）と接続される出力端子（図示略）を備え、センサ３１から出力される検知信号、カメラ３２から出力される画像情報、マイク３３から出力される音情報などの各種情報が入力されて、当該各種情報を画像記録装置１に対して出力するものである。
【００４２】
次に、テレビジョン装置２について図４を参照して説明する。ここで、図４は、テレビジョン装置２の要部構成を示すブロック図である。
テレビジョン装置２は、例えば、画像記録装置１と同様に居間などに配設されるものであり、具体的には、図４に示すように、テレビジョン放送信号を受信するチューナ２１と、画像記録装置１から出力された各種情報が入力される入力部２２と、所定の画像を表示する表示部２３と、所定の音を発音する発音部２４と、ＩＲ送信部１３から送信される赤外光を受信するＩＲ受信部２５と、ＣＰＵ２６と、ＲＡＭ２７と、ＲＯＭ２８等を備えている。
【００４３】
チューナ２１は、例えば、テレビジョン放送信号を受信するアンテナ（図示略）等を備えている。
【００４４】
入力部２２は、例えば、画像記録装置１の出力部１２の出力端子と接続される入力端子（図示略）を備え、出力部１２から出力される画像情報や音情報などが入力されるようになっている。即ち、入力部２２は、画像記録装置１の出力部１２から出力された撃退用画像が入力される撃退用画像入力手段を構成している。
【００４５】
表示部２３は、例えば、図示しない液晶方式などの表示画面を備え、チューナ２１により受信されたテレビジョン放送信号、及び入力部２２を介して入力された画像情報に基づいて画像の出力を行うものである。
【００４６】
発音部２４は、例えば、チューナ２１により受信されたテレビジョン放送信号、及び入力部２２を介して入力された音情報に基づいて、スピーカから所定の音を発音するものである。
【００４７】
ＩＲ受信部２５は、例えば、画像記録装置１のＩＲ送信部１３から送信された赤外線信号を受信し、この赤外線信号から所定の操作信号を取得して、ＣＰＵ２６に出力するようになっている。即ち、ＩＲ受信部２５は、操作信号受信手段として、ＩＲ送信部１３から送信された操作信号（赤外線信号）を受信するようになっている。
【００４８】
ＣＰＵ２６は、テレビジョン装置２の各部を統括的に制御するものであり、ＲＯＭ２８に記憶されている各種プログラムを読み出してＲＡＭ２７の作業領域に展開し、当該プログラムに従って各種処理を実行するようになっている。
【００４９】
ＲＡＭ２７は、例えば、書き換え可能なメモリであり、ＣＰＵ２６の制御下にてＲＯＭ２８から読み出されたプログラムや各種データ等の格納領域や作業領域等を構成している。
【００５０】
ＲＯＭ２８は、例えば、データの読み出し専用のメモリであり、ＣＰＵ２６の制御下にて実行される各種プログラム、各プログラムの処理に係るデータ等を記憶している。具体的には、ＲＯＭ２８には、ＣＰＵ２６に、動作状態設定手段として、ＩＲ受信部２５により受信された操作信号に基づいて、画像記録装置１の情報記録部１１に記録され入力部２２を介して入力された撃退用画像を表示部２３に表示するように当該テレビジョン装置２の動作状態を設定する処理に係る機能を実現させる動作状態設定プログラム２８ａが記憶されている。
【００５１】
次に、セキュリティシステム１００により不審者を撃退する不審者撃退処理について図５を参照して説明する。
ここで、図５は、セキュリティシステム１００による不審者撃退処理に係る動作の一例を示すフローチャートである。
なお、本実施形態の不審者撃退処理にあっては、テレビジョン装置２の表示部２３に不審者画像を表示させずに撃退用画像のみを表示するものとする。
【００５２】
図５に示すように、センサ３１により不審者が検知されて、当該センサ３１から出力された検知信号が出力部３４を介して出力されて、画像記録装置１の入力部１４を介してＣＰＵ１８に入力されると（ステップＳ１；ＹＥＳ）、ＣＰＵ１８は、ＲＯＭ１０から判定プログラム１０ａを読み出してＲＡＭ１９に展開し、この判定プログラム１０ａを実行して、情報記録部１１により通常画像を記録中であるか否かを判定する判定処理を行なう（ステップＳ２）。
ここで、判定処理にて通常画像を記録中であると判定されると（ステップＳ２；ＹＥＳ）、ＣＰＵ１８は、ＲＯＭ１０から画像記録制御プログラム１０ｂを読み出してＲＡＭ１９に展開し、この画像記録制御プログラム１０ｂを実行して、情報記録部１１を制御して、通常画像の記録を停止させた後（ステップＳ３）、カメラ３２により撮像されてエンコーダ１５により符号化された不審者画像やマイク３３により集音されてエンコーダ１５により符号化された不審者から発せられた声や音等の記録を開始させる（ステップＳ４）。
続けて、ＣＰＵ１８は、情報記録部１１から撃退用画像及び撃退用の音を読み出して、デコーダ１６により復号化した後、出力部１２を介してテレビジョン装置２に出力するとともに（ステップＳ５１）、ＩＲ送信部１３を制御して、撃退用画像が表示部２３に表示されるようにテレビジョン装置２の動作状態を設定する操作信号を送信する処理を行う（ステップＳ５２）。
【００５３】
テレビジョン装置２にあっては、ＩＲ送信部１３から送信された操作信号がＩＲ受信部２５を介して受信されると（ステップＳ６１）、当該操作信号に基づいて、ＣＰＵ２６は、ＲＯＭ２８から読み出した動作状態設定プログラム２８ａを実行して、表示部２３に撃退用画像を表示するように当該テレビジョン装置２の動作状態を設定する処理を行う（ステップＳ７１）。この処理とともに、画像記録装置１の出力部１２を介して出力された撃退用画像及び撃退用の音が入力部２２を介して入力されると（ステップＳ６２）、ＣＰＵ２６は、表示部２３を制御して撃退用画像を表示させるとともに発音部２４を制御して撃退用の音を発音させる処理を行う（ステップＳ７２）。
これにより、不審者撃退処理を終了する。
【００５４】
以上のように、実施形態１のセキュリティシステム１００によれば、画像記録装置１は、不審者を撃退するための撃退用画像を記録する情報記録部１１と、撮像装置３のセンサ３１による不審者の検知に基づいて、情報記録部１１からから出力される撃退用画像を表示するようにテレビジョン装置２の動作状態を設定する操作信号を当該テレビジョン装置２に送信するＩＲ送信部１３とを備え、テレビジョン装置２は、ＩＲ受信部２５により受信された操作信号に基づいて、入力部２２を介して入力された撃退用画像を表示するように当該テレビジョン装置２の動作状態を設定する動作状態設定手段としてのＣＰＵ２６を備えているので、不審者の検知に基づいて、画像記録装置１の情報記録部１１に記録された撃退用画像をテレビジョン装置２に表示することができる。特に、このとき、テレビジョン装置２の動作状態を撃退用画像が表示されるように設定することができるので、撃退用画像を当該テレビジョン装置２に確実に表示することができる。これにより、不審者の排除を好適に行うことができる。
【００５５】
また、画像記録装置１は、センサ３１により不審者が検知された場合に、情報記録部１１により不審者画像以外の通常画像を記録中であるか否かを判定する判定処理を行い、当該判定処理にて通常画像を記録中であると判定された場合に、当該情報記録部１１に通常画像の記録を停止させて不審者画像を記録させる処理を行うので、通常画像を記録中であっても当該通常画像の記録を停止させることができることとなって、不審者画像の記録を確実に行うことができる。即ち、通常画像を記録することができるような一般的な画像記録装置１を用いても、画像の記録制御を適正に行うことにより、不審者画像の記録も好適に行うことができることとなる。このように、一般的な画像記録装置１を用いてより魅力的なセキュリティシステム１００を提供することができる。
さらに、情報記録部１１は、センサ３１による不審者の検知に基づいて計時部１７により計時された不審者の検知時を不審者画像とともに記録するので、不審者の記録だけでなく、当該不審者の検知時の記録を適正に行うことができることとなって、ユーザに対してより魅力的なセキュリティシステム１００を提供することができる。
【００５６】
なお、上記実施形態１では、不審者撃退処理において、テレビジョン装置２に撃退用画像のみを表示するようにしたが、これに限られるものではなく、撮像装置３により撮像されて情報記録部１１に記録された不審者画像を表示するようにしても良い。即ち、画像記録装置１のＣＰＵ１８による画像出力制御プログラム１０ｃの実行に基づいて、テレビジョン装置２に表示される不審者画像の出力及び撃退用画像の出力を制御するようにしても良い。
これにより、テレビジョン装置２に対する画像出力の制御を適正に行うことができることとなって、テレビジョン装置２における撃退用画像及び不審者画像の表示をより適正に行うことができる。これにより、不審者の排除をより好適に行うことができる。
【００５７】
［実施形態２］
以下に、実施形態２のセキュリティシステム２００について、図６〜図１０を参照して説明する。
ここで、図６は、本発明を適用した実施形態２のセキュリティシステム２００の全体構成を模式的に示した図である。
【００５８】
実施形態２のセキュリティシステム２００は、例えば、居間に配設された画像記録装置２０１及び第一テレビジョン装置２０２と、寝室などの他の部屋に配設され、画像記録装置２０１に記録される画像を受信する画像受信装置２０４及び当該画像を表示する第二テレビジョン装置（受信画像表示装置）２０５とを備え、画像記録装置２０１と画像受信装置２０４とは無線ネットワークＮを介して情報通信可能に接続されている。
また、セキュリティシステム２００は、画像記録装置２０１をサーバ装置とし、画像受信装置２０４をクライアント端末装置とするクライアント・サーバシステムを構成している。
【００５９】
先ず、画像記録装置２０１について図７を参照して説明する。ここで、図７は、画像記録装置２０１の要部構成を示すブロック図である。
なお、以下に説明する以外の構成は、上記実施形態１の画像記録装置１と略同様であり、その説明を省略するものとする。
画像記録装置２０１は、例えば、撃退用画像及び第二テレビジョン装置２０５の操作信号を画像受信装置２０４に送信する通信制御部２１０を備えている。
【００６０】
通信制御部２１０は、例えば、ＣＰＵ１８の制御下にて無線ネットワークＮを介して画像受信装置２０４との間で各種情報の送受信を行うものであり、具体的には、画像受信装置２０４との間で無線信号の送受信を行うためのアンテナ２１ａや、電波の送受信をコントロールするメディア・アクセス・コントローラ（ＭＡＣ）２１ｂなどを備えるIEEE802.11a,b,g規格に準じた無線ＬＡＮカード２１１等を備えている。
【００６１】
また、通信制御部２１０は、撃退用画像送信手段として、例えば、当該画像記録装置２０１と画像受信装置２０４とが無線リンクを確立した接続状態にて、情報記録部１１に記録された符号化された撃退用画像を画像受信装置２０４に送信するようになっている。
さらに、通信制御部２１０は、記録装置側操作信号送信手段として、センサ３１による不審者の検知に基づいて、当該通信制御部２１０を介して送信される撃退用画像を表示部２３に表示するように第二テレビジョン装置２０５の動作状態を設定する操作信号を画像受信装置２０４に送信するようになっている。
【００６２】
なお、通信制御部２１０及び画像受信装置２０４の通信制御部による無線ネットワークＮを介した無線リンクの確立に係る処理については、一般的な技術を適用することができるため、その説明を省略するものとする。
【００６３】
第一テレビジョン装置２０２は、上記実施形態１のテレビジョン装置２と略同様であり、その説明を省略するものとする。
【００６４】
次に、画像受信装置２０４について図８を参照して説明する。ここで、図８は、画像受信装置２０４の要部構成を示すブロック図である。
画像受信装置２０４は、例えば、ＳＴＢ（Set Top Box）等が適用され、具体的には、画像記録装置２０１から送信された情報を受信する通信制御部２４１と、この通信制御部２４１を介して受信された符号化された情報を復号化するデコーダ２４２と、デコーダ２４２により復号化された情報を第二テレビジョン装置２０５に出力する出力部２４３と、第二テレビジョン装置２０５を操作するための赤外光を発するＩＲ送信部２４４と、ＣＰＵ２４５と、ＲＡＭ２４６と、ＲＯＭ２４７等を備えている。
【００６５】
通信制御部２４１は、例えば、画像記録装置２０１に備わる通信制御部２１０とほぼ同様に、アンテナ４１ａやＭＡＣ４１ｂ等を備える無線ＬＡＮカード２４１１等を備えており、無線ネットワークＮを介して画像記録装置２０１との間で各種情報の送受信を行うものである。
具体的には、通信制御部２４１は、受信装置側操作信号受信手段として、画像記録装置２０１の通信制御部２１０から送信された第二テレビジョン装置２０５の操作信号を受信するようになっている。
また、通信制御部２４１は、撃退用画像受信手段として、例えば、画像記録装置２０１の通信制御部２１０から送信された符号化された撃退用画像を受信するようになっている。
【００６６】
デコーダ２４２は、例えば、通信制御部２４１により受信した符号化された各種情報に対して当該情報のファイル形式に応じた処理を施し、符号化された情報から所定の情報に復号化するものである。
【００６７】
出力部２４３は、例えば、第二テレビジョン装置２０５の入力端子（図示略）と接続される出力端子（図示略）を備え、通信制御部２４１を介して受信されデコーダ２４２により復号化された各種情報が入力されて、当該各種情報を第二テレビジョン装置２０５に対して出力するものである。
具体的には、出力部２４３は、受信装置側撃退用画像出力手段として、通信制御部２４１を介して受信されデコーダ２４２により復号化された撃退用画像を第二テレビジョン装置２０５に出力するようになっている。
【００６８】
ＩＲ送信部２４４は、例えば、画像記録装置２０１に備わるＩＲ送信部１３と略同様に、発光ダイオード（図示略）等を内蔵しており、ＣＰＵ２４５から出力されて入力される送信データを赤外線信号に変換して、第二テレビジョン装置２０５のＩＲ受信部２５５（後述）に向けて所定の波長の赤外光（操作信号）を送信するものである。
具体的には、ＩＲ送信部２４４は、受信装置側操作信号送信として、通信制御部２４１を介して受信された操作信号を第二テレビジョン装置２０５に送信するようになっている。
【００６９】
ＣＰＵ２４５は、画像受信装置２０４の各部を統括的に制御するものであり、ＲＯＭ２４７に記憶されている各種プログラムを読み出してＲＡＭ２４６の作業領域に展開し、当該プログラムに従って各種処理を実行するようになっている。
【００７０】
ＲＡＭ２４６は、例えば、書き換え可能なメモリであり、ＣＰＵ２４５の制御下にてＲＯＭ２４７から読み出されたプログラムや各種データ等の格納領域や作業領域等を構成している。
【００７１】
ＲＯＭ２４７は、例えば、データの読み出し専用のメモリであり、ＣＰＵ２４５の制御下にて実行される各種プログラム、各プログラムの処理に係るデータ等を記憶している。
【００７２】
以下に、第二テレビジョン装置２０５について図９を参照して説明する。ここで、図９は、第二テレビジョン装置２０５の要部構成を示すブロック図である。
第二テレビジョン装置２０５は、例えば、テレビジョン装置２と略同様に、チューナ２１と、入力部２５２と、表示部２３と、発音部２４と、ＩＲ受信部２５５と、ＣＰＵ２５６と、ＲＡＭ２７と、ＲＯＭ２５８等を備えている。
なお、以下に説明する以外の構成は、上記実施形態１のテレビジョン装置２と略同様であり、その説明を省略するものとする。
【００７３】
入力部２５２は、画像受信装置２０４の出力部２４３から出力された撃退用画像が入力される表示装置側撃退用画像入力手段を構成している。
また、入力部２５２は、画像受信装置２０４のＩＲ送信部２４４から送信された当該第二テレビジョン装置２０５の操作信号を受信する表示装置側操作信号受信手段を構成している。
【００７４】
ＲＯＭ２５８には、動作状態設定プログラム２８ａに替えて、ＣＰＵ２５６に、表示装置側動作状態設定手段として、ＩＲ受信部２５５により受信された操作信号に基づいて、入力部２５２を介して入力された撃退用画像を表示部２３に表示するように当該第二テレビジョン装置２０５の動作状態を設定する表示装置側動作状態設定プログラム２５８ａが記憶されている。
【００７５】
次に、セキュリティシステム２００による不審者撃退処理について図１０及び図１１を参照して説明する。
ここで、図１０及び図１１は、不審者撃退処理に係る動作の一例を示すフローチャートである。
なお、本実施形態の不審者撃退処理にあっては、画像記録装置２０１と画像受信装置２０４とが無線ネットワークＮにより情報通信可能に接続された状態となっているものとする。
【００７６】
先ず、図１０及び図１１に示すように、センサ３１により不審者が検知されると、実施形態１におけるステップＳ１〜Ｓ４と略同様にして、ＣＰＵ１８の制御下にて、情報記録部１１に不審者画像や不審者から発せられた声や音等が記録される（ステップＳ１１〜Ｓ１４）。
【００７７】
続けて、ＣＰＵ１８は、情報記録部１１から撃退用画像及び撃退用の音を読み出して、デコーダ１６により復号化した後、出力部１２を介して第一テレビジョン装置２０２に出力するとともに（ステップＳ１５１）、ＩＲ送信部１３を制御して、撃退用画像が表示部２３に表示されるように第一テレビジョン装置２０２の動作状態を設定する操作信号を送信する処理を行う（ステップＳ１５２）。
さらに、上記の処理とともに、ＣＰＵ１８は、通信制御部２１０を制御して、情報記録部１１から読み出した符号化された撃退用画像及び撃退用の音、並びに、撃退用画像が表示部２３に表示されるように第二テレビジョン装置２０５の動作状態を設定する操作信号を画像受信装置２０４に送信する処理を行う（ステップＳ１５３）。
【００７８】
第一テレビジョン装置２０２にあっては、実施形態１におけるステップＳ６１〜ステップＳ７２と略同様にして、ＣＰＵ２６の制御下にて、表示部２３に撃退用画像が表示されるとともに発音部２４から撃退用の音が発音される（ステップＳ１６１〜１７２）。
一方、画像受信装置２０４にあっては、画像記録装置２０１から送信された各種情報が通信制御部２４１を介して受信されると（ステップＳ１６３）、ＣＰＵ２４５は、受信された撃退用画像及び撃退用の音をデコーダ２４２により復号化した後、出力部２４３を介して第二テレビジョン装置２０５に出力するとともに（ステップＳ１７３）、ＩＲ送信部２４４を制御して、撃退用画像が表示部２３に表示されるように第二テレビジョン装置２０５の動作状態を設定する操作信号を送信する処理を行う（ステップＳ１７４）。
【００７９】
第二テレビジョン装置２０５にあっては、ＩＲ送信部２４４から送信された操作信号がＩＲ受信部２５５を介して受信されると（ステップＳ１８１）、当該操作信号に基づいて、ＣＰＵ２５６は、ＲＯＭ２５８から読み出した表示装置側動作状態設定プログラム２５８ａを実行して、表示部２３に撃退用画像を表示するように当該第二テレビジョン装置２０５の動作状態を設定する処理を行う（ステップＳ１９１）。この処理とともに、画像受信装置２０４の出力部２４３を介して出力された撃退用画像及び撃退用の音が入力部２５２を介して入力されると（ステップＳ１８２）、ＣＰＵ２５６は、表示部２３を制御して撃退用画像を表示させるとともに発音部２４を制御して撃退用の音を発音させる処理を行う（ステップＳ１９２）。
これにより、不審者撃退処理を終了する。
【００８０】
以上のように、実施形態２のセキュリティシステム２００によれば、画像記録装置２０１と無線ネットワークＮを介して接続された画像受信装置２０４と、画像受信装置２０４と接続され、当該画像受信装置２０４により受信された画像を表示する第二テレビジョン装置２０５とを備え、画像受信装置２０４は、画像記録装置２０１から送信された操作信号を通信制御部２４１により受信して、当該操作信号を第二テレビジョン装置２０５に送信するとともに、画像記録装置２０１から送信された撃退用画像を受信して、当該撃退用画像を第二テレビジョン装置２０５に出力し、第二テレビジョン装置２０５は、受信された操作信号に基づいて、入力された撃退用画像を表示するように当該第二テレビジョン装置２０５の動作状態を設定するので、画像記録装置２０１と異なる場所に存する第二テレビジョン装置２０５に撃退用画像を適正に表示することができる。
ここで、無線ネットワークＮを用いて画像記録装置２０１と画像受信装置２０４とが接続されるので、有線ネットワークを用いる場合に比べて接続線の接続作業などを容易に行うことができ、当該セキュリティシステム２００の導入を簡便に行うことができる。特に、第二テレビジョン装置２０５を追加する場合等において、当該セキュリティシステム２００をより簡便に行うことができる。
【００８１】
なお、上記実施形態２にあっては、画像記録装置２０１と画像受信装置２０４とを無線ネットワークＮを介して接続するようにしたが、これに限られるものではなく、例えば、所定のケーブル等の接続線を用いて有線ネットワークにより接続するようにしても良い。
【００８２】
また、撃退用画像及び操作信号の両方をほぼ同時に画像受信装置２０４に対して送信する通信制御部２１０を例示したが、これに限られるものではなく、撃退用画像及び操作信号を所定の時間差をつけて個別に送信しても良いし、撃退用画像及び操作信号の各々を個別に送信する専用の通信制御部２１０を設けるようにしても良い。
【００８３】
さらに、画像受信装置２０４を画像記録装置２０１と相互に情報を送受信可能に構成して、各画像受信装置２０４に接続される撮像装置３からの画像を画像記録装置２０１に送信するような構成としても良い。この場合において、例えば、複数の撮像装置３、…に搭載されたセンサ３１、…が略同時に不審者を検知した場合にあっては、予め決定済の優先順位や一定時間毎に表示を切り替えるような制御を行うようにすることが好ましい。
【００８４】
なお、本発明は、上記実施形態１及び２に限定されることなく、本発明の趣旨を逸脱しない範囲において、種々の改良並びに設計の変更を行っても良い。
例えば、上記実施形態１及び２にあっては、カメラ３２及びマイク３３は、センサ３１から出力された検知信号がＣＰＵ１８に入力されることに基づいて、当該ＣＰＵ１８の制御下にて撮像動作及び集音動作を開始するような構成としても良い。
【００８５】
また、上記実施形態１及び２にあっては、画像記録装置１（２０１）は、計時部１７により不審者のセンサ３１による検知時を計時するような構成としたが、これに限られるものではなく、不審者の検知時の計時は必ずしも行う必要はない。
【００８６】
また、画像記録装置１、２０１における通常モードでの使用とセキュリティモードでの使用は、例えば、所定の操作部の操作に基づいて切り替え自在となるようにするのが好ましい。
【図面の簡単な説明】
【００８７】
【図１】本発明を適用した実施形態１のセキュリティシステムの全体構成を模式的に示した図である。
【図２】図１のセキュリティシステムを構成する画像記録装置の要部構成を示すブロック図である。
【図３】図１のセキュリティシステムを構成する撮像装置の要部構成を示すブロック図である。
【図４】図１のセキュリティシステムを構成するテレビジョン装置の要部構成を示すブロック図である。
【図５】図１のセキュリティシステムによる不審者撃退処理に係る動作の一例を示すフローチャートである。
【図６】本発明を適用した実施形態２のセキュリティシステムの全体構成を模式的に示した図である。
【図７】図６のセキュリティシステムを構成する画像記録装置の要部構成を示すブロック図である。
【図８】図６のセキュリティシステムを構成する画像受信装置の要部構成を示すブロック図である。
【図９】図６のセキュリティシステムを構成するテレビジョン装置の要部構成を示すブロック図である。
【図１０】図６のセキュリティシステムによる不審者撃退処理に係る動作の一例を示すフローチャートである。
【図１１】図１０の不審者撃退処理の続きを示すフローチャートである。
【符号の説明】
【００８８】
１００、２００  セキュリティシステム
１、２０１      画像記録装置
１１            情報記録部（不審者画像記録手段、撃退用画像記録手段）
１２            出力部（撃退用画像出力手段、不審者画像出力手段）
１３            ＩＲ送信部（操作信号送信手段）
１７            計時部
１８            ＣＰＵ（判定手段、画像記録制御手段、画像出力制御手段）
２１０          通信制御部（撃退用画像送信手段、記録装置側操作信号送信手段）
２              テレビジョン装置（記録画像表示装置）
２２            入力部（撃退用画像入力手段）
２５            ＩＲ受信部（操作信号受信手段）
２６            ＣＰＵ（動作状態設定手段）
３              撮像装置
３１            センサ３１（不審者検知手段）
２０４          画像受信装置
２４１          通信制御部（受信装置側操作信号受信手段、撃退用画像受信手段）
２４３          出力部（受信装置側撃退用画像出力手段）
２４４          ＩＲ送信部（受信装置側操作信号送信手段）
２０２          第一テレビジョン装置（記録画像表示装置）
２０５          第二テレビジョン装置（受信画像表示装置）
２５２          入力部（表示装置側撃退用画像入力手段）
２５５          ＩＲ受信部（表示装置側操作信号受信手段）
２５６          ＣＰＵ（表示装置側動作状態設定手段）
Ｎ              無線ネットワーク
【図１】
0004797582.tif 000002
【図２】
0004797582.tif 000003
【図３】
0004797582.tif 000004
【図４】
0004797582.tif 000005
【図５】
0004797582.tif 000006
【図６】
0004797582.tif 000007
【図７】
0004797582.tif 000008
【図８】
0004797582.tif 000009
【図９】
0004797582.tif 000010
【図１０】
0004797582.tif 000011
【図１１】
0004797582.tif 000012